(57)【要約】【課題】  本発明は、溝状パターンのような特定方向に長いパターンのコントラストの向上の実現が可能な荷電粒子線装置の提供を目的とする。【解決手段】  上記目的を達成するために本発明では、試料に対する荷電粒子ビームの照射に基づいて得られる荷電粒子を検出する検出器を備えた荷電粒子線装置であって、弧状の溝及び複数方向に長手方向を持つ溝の少なくとも一方を有する荷電粒子通過制限部材（２９）と、前記溝に向かって前記試料から放出された荷電粒子を偏向する偏向器（１３）を備え、前記溝の指定位置に前記試料から放出された荷電粒子を偏向する荷電粒子線装置を提案する。【選択図】図４
2017135040.tif 000002
【特許請求の範囲】
【請求項１】
試料に対する荷電粒子ビームの照射に基づいて得られる荷電粒子を検出する検出器を備えた荷電粒子線装置において、
弧状の溝及び複数方向に長手方向を持つ溝の少なくとも一方を有する荷電粒子通過制限部材と、前記溝に向かって前記試料から放出された荷電粒子を偏向する偏向器と、前記溝の指定位置に前記試料から放出された荷電粒子を偏向するように前記偏向器を制御する制御装置を備えたことを特徴とする荷電粒子線装置。
【請求項２】
請求項１において、
前記制御装置は、前記溝の複数の位置に、前記試料から放出された荷電粒子を偏向するように前記偏向器を制御することを特徴とする荷電粒子線装置。
【請求項３】
請求項２において、
前記複数の位置は、前記溝の長手方向の方向が異なる位置であることを特徴とする荷電粒子線装置。
【請求項４】
請求項３において、
前記制御装置は、前記試料から放出された荷電粒子の検出に基づいて、前記複数の位置毎の画像及び信号波形の少なくとも一方を生成することを特徴とする荷電粒子線装置。
【請求項５】
請求項４において、
前記制御装置は、前記複数の位置の毎の信号に基づいて、２つのパターン間の重ね合わせ誤差を求めることを特徴とする荷電粒子線装置。
【請求項６】
請求項４において、
前記制御装置は、前記画像或いは信号波形の評価に基づいて、前記偏向器の偏向条件を選択することを特徴とする荷電粒子線装置。
【請求項７】
請求項１において、
前記弧状の溝を備えた荷電粒子通過制限部材は、荷電粒子ビームの通過開口を有する内側部材と、当該内側部材と前記弧状の溝を介して配置される外側部材を含むことを特徴とする荷電粒子線装置。
【請求項８】
請求項７において、
当該外側部材に調整可能な電圧が印加する電源を接続したことを特徴とする荷電粒子線装置。
【請求項９】
請求項１において、
前記複数方向に長手方向を持つ溝は、溝が放射状に配列されていることを特徴とする荷電粒子線装置。
【請求項１０】
請求項１において、
前記制御装置は、前記試料から放出され、前記溝を通過した荷電粒子に基づいて得られる信号を処理する演算装置を備えたことを特徴とする荷電粒子線装置。
【請求項１１】
試料に対する荷電粒子ビームの照射に基づいて得られる荷電粒子を検出する検出器を備えた荷電粒子線装置において、
溝状の開口を有する荷電粒子通過制限部材と、前記溝に向かって前記試料から放出された荷電粒子を前記溝に沿って偏向する偏向器と、当該偏向器の偏向条件毎の前記検出器の出力を処理する制御装置を備えたことを特徴とする荷電粒子線装置。
【請求項１２】
請求項１１において、
前記制御装置は、前記検出器の出力に基づいて、走査領域内の特定部分の輝度の変化を検出することを特徴とする荷電粒子線装置。
【請求項１３】
請求項１２において、
前記制御装置は、前記輝度情報と前記特定部分の傾斜角が関連付けられた関係式を用いて、或いは輝度情報と前記特定部分の傾斜角が関連付けて記憶された点ブルを参照して、前記特定部分の傾斜角を求めることを特徴とする荷電粒子線装置。
【発明の詳細な説明】
【技術分野】
【０００１】
本発明は、荷電粒子線装置に係り、特に深溝や多層レイヤなどから放出される荷電粒子、或いはそれに基づいて得られる信号を高効率に検出し得る荷電粒子線装置に関する。
【背景技術】
【０００２】
半導体デバイス微細化、３Ｄデバイス化に伴い深孔パターンなど信号検出困難な領域が増加する一方、当該領域の観察ニーズは高まっている。そのため半導体の検査・計測に用いられる走査電子顕微鏡（Ｓｃａｎｎｉｎｇ  Ｅｌｅｃｔｒｏｎ  Ｍｉｃｒｏｓｃｏｐｅ： ＳＥＭ）には従来に増して高感度・高精度化が求められるようになった。
【０００３】
試料から放出される電子の中から、特定方向に放出される電子等を選択的に検出することによって、深孔等の底部のコントラストを強調することができる。特許文献１に開示の電子顕微鏡は、電子ビーム光軸を対称軸とした対象位置に、複数の検出器を配置することによって、特定方向に放出される電子の選択的検出を可能としている。また、検出器方位に発生した信号電子を弁別するのに対物レンズ磁場による信号電子の回転作用を低減するため、磁場発生領域に加速電極を設置し高エネルギー状態で信号電子を通過させることで方位情報を保存している。特許文献２には、電子ビーム光軸を対称軸とする対称位置であって、その相対角が９０°となるように４つの検出器を配置した電子顕微鏡が開示されている。このように複数の検出器を配置することによって、特定方向に放出される電子の選択的検出が可能となる。特許文献２には、下層のパターンのコントラストを向上し得る方向に放出された電子に基づく信号と、それ以外の方向に放出された電子に基づく信号の和或いは差を、画像信号として出力する手法が説明されている。
【先行技術文献】
【特許文献】
【０００４】
【特許文献１】特許第５３９１２５２号（対応米国特許ＵＳＰ７，４６２，８２８）
【特許文献２】特許第５６６９８９６号（対応米国特許ＵＳＰ９，０１９，３６２）
【発明の概要】
【発明が解決しようとする課題】
【０００５】
昨今の半導体デバイスの微細化に伴い、例えば溝状のパターンのアスペクト比も大きくなりつつある。溝状パターンの底部のコントラストを向上させるためには、底部から放出された電子を選択的に検出することが望ましい。そのために、底部から脱出できない放出方向の電子の検出を抑制しつつ、底部から放出される電子を高効率に検出する構成が求められる。更に、発明者らの検討によって、溝状パターンの場合、パターンの長手方向には壁が存在しないため、壁のない方向に放出する電子の検出効率を高めつつ、壁が存在する方向の電子の検出を抑制することによって、底部のコントラストの向上を実現できるという結論に至った。
【０００６】
特許文献１に開示の検出器によれば、試料から放出される電子の軌道弁別を行うことができるが、溝状パターン等に適した弁別を行うことは困難である。また、特許文献１に開示された加速電極によれば、ある程度、二次電子の回転作用を抑制できるものの、完全に取り除くことは困難であり、高精度な弁別を行うことが難しい。また、特許文献２に開示された４方向検出器によっても、ある程度の弁別は可能であるが、やはり溝状パターン等に適した弁別検出を行うことは難しい。 
以下に、溝状パターンのような特定方向に長いパターンのコントラストの向上を目的とする荷電粒子線装置を提案する。
【課題を解決するための手段】
【０００７】
上記目的を達成するための一態様として、試料に対する荷電粒子ビームの照射に基づいて得られる荷電粒子を検出する検出器を備えた荷電粒子線装置であって、弧状の溝及び複数方向に長手方向を持つ溝の少なくとも一方を有する荷電粒子通過制限部材と、前記溝に向かって前記試料から放出された荷電粒子を偏向する偏向器と、前記溝の指定位置に前記試料から放出された荷電粒子を偏向するように前記偏向器を制御する制御装置を備えた荷電粒子線装置を提案する。
【発明の効果】
【０００８】
弧状の溝や複数方向に長手方向を持つ溝を備えた荷電粒子通過制限部材は、溝の位置に応じて溝の長手方向が異なるため、偏向器を用いて、パターンの方向や荷電粒子線装置の光学条件等に応じた適切な溝位置に、試料から放出された電子を導くことによって、溝状パターン底部等のコントラストの向上を実現することが可能となる。
【図面の簡単な説明】
【０００９】
【図１】深溝の底から放出された電子の軌道を説明する図。
【図２】走査電子顕微鏡の概要を説明する図。
【図３】走査電子顕微鏡内に配置される荷電粒子通過制限部材の一例を示す図。
【図４】試料から放出される電子を偏向する偏向器によって、荷電粒子通過制限部材の開口部へ電子を偏向したときの電子軌道を説明する図。
【図５】上層パターンと下層パターンが交差して重ねられた多層構造パターンの一例を示す図。
【図６】荷電粒子通過制限部材の開口部に電子軌道を位置付けたときの電子の到達範囲を示す図。
【図７】上層パターンが強調されたＳＥＭ像の一例を示す図。
【図８】試料から放出される電子を偏向する偏向器によって、荷電粒子通過制限部材の開口部へ電子を偏向したときの電子軌道を説明する図。
【図９】荷電粒子通過制限部材の開口部に電子軌道を位置付けたときの電子の到達範囲を示す図。
【図１０】下層パターンが強調されたＳＥＭ像の一例を示す図。
【図１１】長方形開口を有する反射板（荷電粒子通過制限部材）の一例を示す図。
【図１２】傾斜部を有する試料の一例を示す図。
【図１３】電子の反射板への到達位置と、ＳＥＭ像との関係を示す図。
【図１４】電子の反射板への到達位置と、ＳＥＭ像との関係を示す図。
【図１５】電子の反射板への到達位置と、ＳＥＭ像との関係を示す図。
【図１６】電子の反射板への到達位置と、ＳＥＭ像との関係を示す図。
【図１７】電子の反射板への到達位置と、ＳＥＭ像との関係を示す図。
【図１８】電子の反射板への到達位置と、ＳＥＭ像との関係を示す図。
【図１９】電子の反射板への到達位置と、ＳＥＭ像との関係を示す図。
【図２０】反射板に対する電子の到達位置、輝度、及びパターンの傾斜角との関係を示すグラフ。
【図２１】円環開口部を備えた反射板への電子の到達位置と、信号波形との関係を示す図。
【図２２】円環開口部を備えた反射板への電子の到達位置と輝度との関係を示すグラフ。
【図２３】エネルギーフィルタリング機能を備えた反射板の一例を示す図。
【図２４】エネルギーフィルタリングのための電源が接続された反射板の一例を示す図。
【図２５】反射板に印加する電圧を変化させたときの電子の軌道の変化を説明する図。
【図２６】弧状の溝及び複数方向に長手方向を持つ溝の少なくとも一方を有する反射板の一例を示す図。
【図２７】二段の電子偏向器によって、反射板に直交する方向に二次電子を偏向した電子光学系の一例を示す図。
【図２８】電子ビームと二次電子軌道を電子ビームの理想光軸から離間するように偏向する電子光学系の一例を示す図。
【図２９】反射板を通過した電子を直接検出器に偏向する偏向器を備えた電子光学系の一例を示す図。
【図３０】オーバーレイ誤差計測工程を示すフローチャート。
【発明を実施するための形態】
【００１０】
深溝底や下層パターン領域が検出困難な原因の一つとして溝底／下層より発生する電子が表面に到達し難いことが挙げられる。図１に深溝で発生した信号電子の振る舞いを示す。深溝底より発生した信号電子は一定の仰角範囲に分布する。高仰角の電子（ビーム光軸と放出方向の相対角が大きな電子）は当然溝側壁に衝突してしまうため表面に到達せず検出不可となる。例えばアスペクト比（孔の深さ／孔の幅）が５０程度の場合、幾何計算上８８ °以下の仰角であれば信号電子は側壁に衝突してしまう。これにより表面に到達する電子の絶対数が減少することで溝底の検出が困難となってしまう。
【００１１】
しかし深溝に関しては溝の延伸する方向には側壁が存在しないため、溝の長手方向に沿って放出される信号は、ロスすることなく検出することができる。よってその方位の信号成分を弁別もしくは強調することでコントラスト向上を計ることが可能である。多層レイヤにおいて一方向に延伸する下層パターンに対しても同様の理由から信号ロスの少ない方位が存在するためその方位の信号弁別、強調は有効である。
【００１２】
より、具体的には単なる電子の軌道弁別ではなく、特定の方向に延びる長い軌道範囲の電子を選択的に検出できれば、所望の観察パターンのエッジ部から放出される電子の検出効率の低下を抑制しつつ、所望の観察パターンのコントラスト向上の妨げとなる方向へ放出する電子の遮断が可能となる。
【００１３】
以下に説明する実施例では、特定方向に長い、溝状のパターンの底部や多層レイヤの下層配線等のコントラストの向上が可能な荷電粒子線装置に関するものである。
【００１４】
以下に説明する実施例では、例えば、試料から放出された荷電粒子を偏向する偏向器を備えた荷電粒子線装置であって、荷電粒子源と偏向器との間に配置され、前記試料から放出された荷電粒子の通過を制限する開口を備えた部材と、前記試料から放出され、前記開口を通過した荷電粒子に基づいて取得される検出信号を処理する演算装置を備え、前記偏向器は、前記開口の第１の位置と、当該第１の位置とは異なる前記開口の第２の位置に、前記試料から放出された荷電粒子を偏向するように調整され、前記演算装置は前記第１の位置に前記荷電粒子が偏向されたときに得られる第１の検出信号と、前記第２の位置に前記荷電粒子が偏向されたときに得られる第２の検出信号を処理することを特徴とする荷電粒子線装置を提案する。
【００１５】
上述のような構成によれば、信号電子制限用開口部と偏向器の組み合わせにより検出器搭載箇所や観察に用いる光学条件の制約を受けず任意の方位角方向で信号電子弁別することが可能となる。それにより溝底や多層レイヤ中の下層パターンなど特定方位に信号電子イールドの高い試料に関し、その方位がどのような方向であっても方位角弁別によるコントラスト向上等画質改善を図ることができる。 
【実施例１】
【００１６】
図２は、荷電粒子線装置の一態様である走査電子顕微鏡の電子光学系の一例を示す図である。この電子光学系は電子源２４、対物レンズ９、試料（半導体ウエハ）２７、試料に対置させた加速電極１０、二次電子用偏向器１３、１４および１６、１次電子ビーム偏向用走査偏向器１２、イメージシフトコイル１１、電子源と対物レンズ９の間に設置された検出器１７、１８、信号電子（二次電子や後方散乱電子）を制限する反射板１５を備える装置である。
【００１７】
また、図２に例示する走査電子顕微鏡には、電子源２４から電子を引き出すための引出電極２３、引出電極２３によって引き出された電子を加速する加速電極２２、加速電極２２によって加速された１次ビーム（電子ビーム）２５を集束するコンデンサレンズ２０、試料上の任意の視野位置に視野を偏向するイメージシフトコイル（イメージシフト偏向器）１１、試料２７上でビームを一次元的、或いは二次元的に走査する走査偏向器１２、及び１次ビーム２５を加速するための正電圧が印加される後段加速電極１０が備えられている。更に、図２に例示する走査電子顕微鏡には、加速電圧制御電源０、検出器によって得られた検出信号を処理する信号処理部１、二次電子偏向器を制御する偏向器制御電源２、１次ビーム２５の偏向器を制御する偏向器制御電源３、対物レンズ制御電源４、及び試料に印加する負電圧を調整することで、１次ビーム２５の試料２７への到達エネルギーを制御するリターディング電源５が備えられている。
【００１８】
走査電子顕微鏡の光学素子は、制御装置２０１によって制御されている。制御装置２０１は、走査電子顕微鏡の制御に必要な信号を光学素子の制御電源等に供給する共に、検出器によって得られた信号の処理を実行する。また、制御装置２０１は、走査偏向器１２に供給する走査偏向器と同期させて検出器の信号を、フレームメモリ等に記憶させることによって、画像信号を生成する。制御装置２０１には、制御部６、画像処理部（演算処理装置）７、及びデータ保存部８が含まれている。制御部６は、データ保存部８に記憶された制御条件に基づいて、各電源に制御信号を供給すると共に、検出信号を画像処理部７に伝達する。画像処理部７は、データ保存部８に記憶された測定条件や演算条件に基づいたデータ処理を実行する。制御装置２０１の具体的な制御内容や測定、演算内容については後述する。
【００１９】
ここで二次電子偏向器は二次電子から高エネルギー帯の反射電子まで全ての信号電子を偏向対象とする偏向器である。検出器１７、１８は反射板１５を挟み上下に設置される。二次電子偏向器１３、１４は反射板１５より試料側に配置され、試料より放出された信号電子の反射板に対する到達位置を制御する。到達位置は、制御装置２０１等の制御よって任意の位置の指定位置に位置付けることができる。
【００２０】
試料から放出され、反射板１５の開口部を通過した信号電子は、二次電子偏向器１６によって、検出器１８に向かって偏向される。なお、図２は、反射板（信号電子軌道選択部材）を通過した信号電子を直接検出する検出器として検出器１８を例示しているが、これに限られることなく、例えば別に設けた反射板に信号電子が衝突した結果、新たに発生させる電子を検出する検出器であっても良い。
【００２１】
二次電子偏向器１３、１４、１６には、電子ビーム（１次ビーム２５）を偏向することなく、信号電子を選択的に偏向するためのウィーン条件を生成するために、直交電磁界を発生する偏向器（ウィーンフィルタ）が採用されている。ここで反射板１５の開口部形状代表例を図３に示す。図３に例示するように、反射板１５（荷電粒子通過制限部材）には１次ビームを通過させるための通過孔２８と、当該通過孔２８とは別に、円環形状の円環開口部２９が設けられている。
【００２２】
試料から放出された電子を、二次電子偏向器１３、１４によって円環開口部２９に向けて偏向することによって、円環開口部２９を通過する電子と、反射板１５に衝突する電子に分けられる。試料から放出される電子の軌道がある程度の範囲を持っている前提を考えると、円環開口部２９は、特定方向（図３の円環状開口部２９の場合、円環状開口部の開口の長手方向（周方向））に長く、その形状が長方形に近似できるような軌道範囲の電子を選択的に通過させることになる。以下に、図３に例示するような円環開口部を有する軌道選択部材を用いた信号の選択法を、図４〜図１０を参照して説明する。
【００２３】
図４は円環開口部２９を有する反射板１５に対し、二次電子偏向器１３で信号電子の到達位置を制御する例を説明する図である。図４〜図７を用いて、多層構造の半導体デバイスの上層パターン（縦ライン）のエッジコントラストを向上する例について説明する。
【００２４】
まず図４に例示するように、多層レイヤ試料より放出された信号電子２６を、二次電子偏向器１３によって反射板１５の円環開口部２９のφ＝０方向へ偏向する。図５は試料３０の拡大図である。反射板１５に到達した信号電子は、図６に示すよう反射板１５で一定の範囲に広がる。その到達電子の広がり３１に対し円環開口部２９はφ＝０方向に狭く、φ＝π／２方向に広い長方形スリットの働きをする。
【００２５】
ここで縦ラインのラインエッジより放出される電子は、その発生効率または反射方向の関係によりφ＝π／２方向に広がる傾向にある。逆に横ラインに関してはエッジから発生する電子がφ＝０方向へ広がる傾向にあることから、縦ラインエッジの信号は絞りを容易に通過可能であるのに対し横ラインエッジの信号はその多くが円環開口部でカットされる。その結果、円環開口部２９通過後の信号電子に基づいて生成ＳＥＭ像は図７に例示するように上層パターン（縦ライン）が強調されたものとなる。
【００２６】
図８〜図１０を用いて、多層構造の半導体デバイスの下層パターン（横ライン）のエッジコントラストを向上する例について説明する。まず図８に例示するように、多層レイヤ試料より放出された信号電子２６を、二次電子偏向器１３によって反射板１５の円環開口部２９のφ＝π／２方向へ偏向する。反射板１５に到達した信号電子は、図９に示すよう信号電子の広がり３１に対し円環開口部２９はφ＝０方向へ広く、φ＝π／２方向へ狭い長方形スリットとなる。よって図８の例では縦ラインエッジの信号の多くが円環開口部にてカットされ、横ラインエッジの信号を高効率に検出できることから、取得されるＳＥＭ像は図１０に例示するように下層パターン（横ライン）が強調された像となる。
【００２７】
特にウィーンフィルタの二次電子偏向器を用いる場合、信号電子軌道を偏向しても、１次ビームの軌道は変化しないため、観察視野位置のズレを発生させることなく、特定方向のエッジを強調する信号検出を行うことが可能となる。
【００２８】
図４〜図１０を用いて説明したように、偏向器の偏向条件を調整することによって、多層構造パターンの上層パターンと下層パターンのそれぞれを強調した画像を生成することが可能となるため、それぞれの強調画像を用いた位置比較を行うことが可能となる。より具体的には、上層パターンが強調された画像、下層パターンが強調された画像、及び基準画像を用いて、オーバーレイ誤差計測を行うことができる。図３０は、図２のような電子光学系を持つ電子顕微鏡を用いて、オーバーレイ誤差計測を行う工程を示すフローチャートである。
【００２９】
まず、図示しない電子顕微鏡の真空容器に半導体ウェハを導入した後、所望の測定位置に電子顕微鏡の視野（Ｆｉｅｌｄ  Ｏｆ  Ｖｉｅｗ：ＦＯＶ）を位置付け（ステップ３００１）、第１の偏向条件に、二次電子偏向器の条件を設定（ステップ３００２）して第１の画像を取得する（ステップ３００３）。第１の偏向条件は例えば縦ラインが強調された画像を取得するのに適した偏向条件とする。次に第２の偏向条件に、二次電子偏向器の条件を設定（ステップ３００４）して第２の画像を取得する（ステップ３００５）。第２の偏向条件は例えば横ライン（下層パターン）が強調された画像を取得するのに適した偏向条件とする。
【００３０】
次に、図示しない記憶媒体等から基準画像を読み出し、第１の画像と第２の画像のそれぞれと位置合わせ処理を実行する（ステップ３００６）。基準画像は例えば半導体デバイスの設計データ（レイアウトデータ）から生成されるパターン画像であり、理想的な配置条件で多層パターンが配置されている。第１の画像と位置合わせ処理を行う基準画像は、上層のパターンのエッジを通常の基準画像と比較して強調するような画像処理を行い、第２の画像と位置合わせ処理を行う基準画像は、下層のパターンのエッジを通常の基準画像と比較して相対的に強調するような画像処理を行うようにしても良い。以上のようなレイヤ単位の位置合わせに基づいて、第１の画像と基準画像との間の位置合わせ処理に基づいて求められる相対位置ずれ（δｘ１，δｙ１）と、第２の画像と基準画像との間の位置合わせ処理に基づいて求められる相対位置ずれ（δｘ２，δｙ２）を求め、例えば（δｘ２−δｘ１，δｙ２−δｙ１）を解くことによって、オーバーレイ誤差計測を実行する（ステップ３００７）。
【００３１】
上述のような手法によれば、同じ視野を走査している状態で、下層のパターンが強調された状態の画像と上層のパターンが強調された画像の双方を取得でき、高精度なオーバーレイ誤差計測を行うことが可能となる。また、二次電子偏向器の調整を行うことなく、通常のＳＥＭ像でも上層のパターンに関して、十分なコントラストが得られているのであれば、当該通常画像と、下層パターンを相対的に強調するための偏向条件で取得された画像の２枚の画像を用いて、オーバーレイ誤差計測を行うようにしても良い。
【００３２】
上述のような処理は予め設定された動作プログラム（レシピ）に基づいて電子顕微鏡を自動的に制御することによって行われる。上記演算式等も所定の記憶媒体に記憶され、所定の指示に応じて自動的に演算、及び計測結果の出力が行われる。図２に例示する制御装置２０１（演算処理装置）は、動作プログラムに従って上記処理を実行する。なお、上述の処理は上層パターンのエッジを強調する偏向条件と、下層パターンのエッジを強調する偏向条件が予め判っている場合の処理であるが、エッジを強調できる偏向条件が不明である場合には、例えば複数の偏向条件毎に、強調したいレイヤのパターンのエッジのコントラストを評価し、コントラストが最も高くなる、或いは所定値以上となる偏向条件を見出すようにしても良い。
【００３３】
なお、上述の実施例では、第１の偏向条件と第２の偏向条件における視野位置が同じものとして説明したが、視野位置を変えて（第１の視野位置と第２の視野位置）第１の偏向条件と第２の偏向条件による画像を取得し、オーバーレイ誤差計測を行うようにしても良い。例えば広い範囲で上層パターンと下層パターンが同じ状態で配列されている場合、視野位置を変えても実質的に同じものが画像化されることになる。上層と下層の相対的な位置関係が広い範囲に亘って不変であれば、視野位置を変えても上述の手法によって、高精度なオーバーレイ誤差計測を行うことが可能となる。また、このような手法によれば、単位面積当たりのビーム照射量を抑制することができるため、チャージアップ等の影響を緩和することが可能となる。
【００３４】
なお、図４、８ではφ＝０またはπ／２の方位角方向に、試料から放出された電子の軌道を偏向する例について説明したが、円環開口部２９の任意の位置への信号電子軌道の偏向制御が可能である。よって、パターン形状等に応じた種々の軌道弁別を行うことができる。また反射板１５の開口部形状の一例として円環開口部２９を示したが、信号電子の広がりに対して長手方向を有する開口部形状であれば同様の機能を有するといえる。以下に円環開口以外の開口部形状を有する反射板を使用する場合の実施例を示す。
【実施例２】
【００３５】
本実施例では、長方形開口部を有する反射板を用いた信号電子の方位弁別について説明する。図１１は長方形開口部を有する反射板１５である。φ＝０及びφ＝π／２方向に平行に長辺を持つ長方形開口部３３を備える。このような反射板を用いた信号軌道弁別の効果の説明のため、図１２に例示するように、φ＝０、π及びφ＝π／２、３π／２方向に傾斜する面（斜面３５および斜面３６）を有する観察試料３４を用いる。
【００３６】
まず長方形開口部３３に対して図１３に示す位置へ二次電子偏向器１３を制御して、信号電子中心軌道到達位置３７を調整制御する。この場合に取得されるＳＥＭ像を図１３右図に示す。図示の通り方位角φ=π／２、３π／２方向の電子が開口部３３を通過可能なため、左右（ＬＲ）双方の斜面３５のコントラストが強調される。次に図１４に例示するように、信号電子到達位置３７を長方形開口部３３の右側端面付近へ制御する。この場合φ＝π／２、３π／２方向発生した電子のうちπ／２方向へ発生した電子が長方形開口部３３にてカットされる。よって通過可能な３π／２方向電子にて構成されるＳＥＭ像は図１４右図に例示するように、斜面３５のうち左（Ｌ）のみ強調されることとなる。なお、図１４等では平坦面を除き、斜線領域は斜線がない領域と比較して相対的に暗い領域を示している。
【００３７】
図１５は、は長方形開口部３３の左端面に信号電子到達位置３７を位置付けた例を示す図である。図１４と同様の原理にて今度は斜面３５のうち右（Ｒ）方向のみ強調することが可能である。このように長方形開口部３３を有する反射板を用いる場合は開口部長手（長辺）方向に平行な方位φ‖、φ‖＋π方向へ弁別が可能であることに加え、長手方向終端部を用いると方位φ‖、φ‖＋πのうち片側を更にカットすることができる。長方形の長手方向の辺だけではなく、短い辺も利用したフィルタリングを行うことによって、方位角弁別の方位角のバリエーションを増やすことが可能である。ここで複数の方位に対して長方形開口部を作製すれば円環開口部形状と同等に弁別方位を確保することは可能である。
【００３８】
実施例１或いは実施例２に例示した弧状、或いは複数の方向に長手方向を持つ溝を開口とした反射板を採用することによって、パターンの形成方向に応じたエッジコントラストの最適化が可能となる。
【実施例３】
【００３９】
本実施例では実施例２と同構成にて傾斜角度測定する例を説明する。図１６〜２０は斜面３５の左（Ｌ）側の傾斜角を計測する例を示す図である。まず、図１６に例示する位置に信号電子到達位置３７を位置付ける。図１６左図に例示する偏向条件にて得られた画像は、図１６右図に例示するように斜面３５の左（Ｌ）側が強調された画像となる。ここから図１６→図１７→図１８→図１９の順に信号電子到達位置をｘ方向へ順次移動させつつ画像を取得すると、通過可能な電子数が減少するため斜面３５左（Ｌ）位置の輝度が徐々に低下する。
【００４０】
図２０は、信号電子到達位置ｘにと左斜面の輝度との関係を示すグラフである。信号電子到達位置ｘの変化に応じてＬ斜面輝度も変化するが、その変化は一様ではなく、急峻に変化する領域が存在する。これは斜面にて発生する二次／反射電子の仰角方向分布が斜面の傾斜角に依存するためである。特に反射電子は斜面に対し垂直方向に出射し易い。そのため傾斜面に対して垂直な仰角成分を持つ電子が、長方形開口部３３端でカットされる位置まで信号電子到達位置３７を偏向すると、検出される電子数が急減する。
【００４１】
つまり、傾斜角の角度に応じて、輝度が急変する信号電子到達位置が変化する。よって図２０の下図に示すように信号到達位置ｘと、斜面の傾斜角との関係を予め把握しておき、輝度が急変する電子到達位置ｘ（∝偏向信号）を求めることによって、斜面の傾斜角θを算出することが可能となる。信号電子到達位置ｘと、弁別仰角（或いは斜面の傾斜角）との関係は、例えば斜面の傾斜角をＡＦＭ（Ａｔｏｍｉｃ  Ｆｏｒｃｅ  Ｍｉｃｒｏｓｃｏｐｅ）やＴＥＭ（Ｔｒａｎｓｍｉｓｓｉｏｎ  Ｅｌｅｃｔｒｏｎ  Ｍｉｃｒｏｓｃｏｐｅ）などで事前に測定し、当該斜面の輝度の最大変化位置ｘを検出することによって見出すことができる。上記傾斜角と最大変化位置ｘ（或いはその際の偏向信号情報）を関連付けて記憶しておくことによって、最大変化位置ｘの検出に基づいて、傾斜角を求めることができる。また、両者の関係を関数化し、この関数を記憶しておくようにしても良い。また、信号電子傾斜時の軌道シミュレーション結果から、上記関係を見出すことも可能である。また図１６に例示するＳＥＭ像の斜面幅Ｗと本実施例により求めた傾斜角θがあれば傾斜面の高さ寸法Ｈを、Ｈ＝Ｗ×ｔａｎθを解くことによって求めることができる。このような演算式等を記憶媒体に登録しておくことによって、電子顕微鏡の出力に基づいて、傾斜角θやパターン高さＨを求めることが可能となる。
【実施例４】
【００４２】
本実施例では、測定の目的に応じた適切な信号到達位置（二次電子偏向器の偏向条件）を特定することが可能な走査電子顕微鏡を説明する。本実施例は、対物レンズの集束条件が強く、試料から放出される電子の軌道が大きく回転するような場合に特に有効である。図２１は縦ラインパターンのコントラストが最も強調されるように、最適方位角を決定する例を説明する図である。図２１（ａ）に例示するように、本実施例では反射板開口部形状として円環開口部２９を用いる。図２１（ｂ）は観察対象の縦ラインパターンである。
【００４３】
まず、対物レンズ磁場による回転作用が無い場合に、最も縦ラインパターンのコントラストが強調されると考えられるφ＝０方向（図２１（ｃ）の位置）へ信号電子到達位置３７を位置付ける。そして取得されるＳＥＭ像からＸ方向の輝度分布を求める。次にφ＝π／４方向（図２１（ｄ）位置）に信号電子到達位置３７を位置付け、取得されるＳＥＭ像のＸ方向プロファイルを求める。更にφ＝π／２（図２１（ｅ））、３π／４方向（図２１（ｆ））へ信号電子を位置付け、同様にＸ方向プロファイルを順次取得する。
【００４４】
図２２は、これら複数の方位角と、エッジ位置Ａの平均輝度値との関係を示すグラフである。他の方位角に対しφ＝π／４方向（図２１（ｄ））での輝度平均値が最も高いことが分かる。よって縦ラインを強調する際、φ＝π／４方向（図２１（ｄ））が弁別する際最適な方位角であると決定できる。ここで本実施例ではφ=０〜３π／４間で、π／４ずつ方位を変化しながら輝度平均値を測定したが勿論より細かく方位角を変化して最適点を決定する、もしくは計測点を結ぶ近似曲線から最適点を推測してもよい。また、上述のようにプロファイルのピーク位置の絶対値ではなく、ピークとベースラインとの輝度差分値が最も大きくなる条件を選択するようにしても良い。エッジ部分のピーク位置が高くても、それ以外の部分も高輝度であると、高精度なエッジ位置抽出ができない場合があるので、コントラストが最大となる条件を選択するようにしても良い。
【００４５】
更に、上述のような装置条件を選択するための動作プログラムを記憶しておき、当該動作プログラムの指示に基づいて、電子顕微鏡の制御や画像処理を行うことによって、半導体デバイスの自動計測を行うことが可能となる。
【実施例５】
【００４６】
本実施例では反射板に電圧を印加することで方位角方向の弁別性能を向上する例を説明する。図２３は、反射板１５の内側環状部材４１と、外側部材４２のそれぞれに電圧供給ライン３９、４０を接続した例を示す図である。内側環状部材４１の内側開口は、１次ビーム２５の通過開口であるため、ビームに電界を及ぼさないように、内側環状部材４１を接地する。外側部材４２には、電圧供給ライン４０を介して電源４３より電圧を印加する。
【００４７】
図２４、２５は、外側部材４２に電圧を印加したときの電子の軌道の変化を説明する図である。二次電子偏向器１３により円環開口部２９に信号電子２６を偏向したとき、外側部材４２への印加電圧が低い場合は外側部材４２側に近い軌道の信号電子が選択的に外側部材４２に引き寄せられて反射板に衝突する。一方、外側部材４２への印加電圧が高い場合には内側環状部材４１に近い軌道の電子まで印加電圧の静電力により引き寄せられ衝突するようになる。つまり印加電圧により円環開口部２９のスリット幅を可変できることが分かる。これにより反射板の開口部２９形状に制限されること無く弁別性能を調整することが可能である。
【００４８】
なお、本実施例では光軸を包囲するように上に反射板１５を設置したため内側環状部材４１を接地した。しかし反射板１５を１次ビームの軌道外に設置する場合、内側環状部材４１にも任意の電圧を印加することが可能である。また、図２３に例示するような環状の開口を備えた反射板だけではなく、長方形の開口を備えた反射板へ電圧印加することも可能である。
【実施例６】
【００４９】
本実施例では、種々の形状の開口を有する反射板について説明する。図２６は、種々の反射板を説明する図である。開口部形状３は、多数方向に長方形開口部３３が設けられており、円環開口形状と同等の方位角弁別が可能な反射板である。開口部形状４は円環開口部２９を３分割し、その円環開口部の一部４４を１次ビーム通過孔２８へ該当の開口部を近づけた形状である。近づけることにより二次電子偏向器にて信号電子を所望の開口部へ偏向する際の駆動電圧、電流を最小化することが可能である。開口部形状５は開口部形状３に対して1次ビーム通過孔を取り除いた構造である。開口部形状６は円環開口部２９と長方形開口部３３の組み合わせたものである。開口部形状７は複数の開口部形状例を組み合わせた反射板となる。
【００５０】
上述の反射板の開口形状は、試料から放出される電子の軌道範囲の一部を制限することによって、長方形（或いは長方形に近似できる形）状の放出電子軌道を生成するためのものである。このような長方形状の放出電子が生成できれば、開口部形状は図２６の例に限定されない。図２６に例示するような弧状の開口、或いは放射状に配列された長方形状の開口を設けておき、開口の任意の位置（指定位置）に二次電子等の軌道を位置付けることができる偏向器を備えることによって、パターンの形成方向や電子顕微鏡の光学条件に応じて溝状パターンのような一定方向に長いパターンのコントラストを最適化する装置条件の設定が可能となる。放出電子の軌道を長方形状に成型可能な長手方向を持つ開口を有する反射板によって、溝状パターンのような長いパターンのコントラストを向上させることが可能となる。
【実施例７】
【００５１】
図２７は、電子顕微鏡の光学系の一例を示す図である。図２７に例示する光学系では、２段の二次電子偏向器を用いて、信号電子軌道２６を反射板１５に対して垂直に入射している。このように偏向することで傾斜による反射板上での信号電子広がり（楕円形状への広がり）を低減することができ、方位角弁別の分解能を向上することができる。
【００５２】
図２８は光軸外に反射板１５を設置した光学系を例示する図である。この例では１次ビーム２４を、偏向器４６を用いて光軸外へ偏向し、その１次ビーム２４を、偏向器４７、４８、４９を用いて再度光軸に戻している。また、偏向器４９は、軸外から入射する１次ビーム２４を光軸に沿わせるように偏向するだけではなく、試料から放出された電子を１次ビーム２４の軸外軌道とは逆の方向に偏向する作用も担っている。偏向器４９によって偏向された放出電子は、二次電子偏向器１３によって更に偏向され、反射板１５の方位角弁別用開口部に入射する。これにより反射板１５には１次ビーム通過孔２８を形成する必要が無くなる。このような構成によれば、試料から放出された電子が、反射板に設けられた１次ビーム通過開口を通過することによる軌道弁別性能の低下を抑制することが可能となる。また本例は１次ビームを軸外へ偏向することで１次ビームの軌道と、試料から放出される電子の軌道を分離しているが、ウィーンフィルタを用いて、１次ビーム通過孔の無い反射板１５を設置可能な領域まで信号電子を偏向することができるのであれば、図２７のような光学系でも良い。
【００５３】
図２９は、反射板１５通過後の信号電子２６を検出器１８へ直接入射する光学系を例示する図である。反射板１５を通過した信号電子２６は、検出器１８に直接入射するように、二次電子偏向器１６によって偏向される。検出器１８の前にエネルギーフィルタ１９を設置することで、軌道弁別後の信号電子２６を、更にエネルギー弁別することができる。高エネルギーである反射電子はその散乱特性から試料の立体形状を観察するのに適している。
【符号の説明】
【００５４】
０…加速電圧制御電源、１…信号処理部、２…偏向器制御電源、３…偏向器制御電源、４…対物レンズ制御電源、５…リターディング電源、６…制御部、７…画像処理部、８…データ保存部、９…対物レンズ、１０…後段加速電極、１１…イメージシフトコイル、１２…走査偏向器、１３…二次電子偏向器I、１４…二次電子偏向器II、１５…反射板（開口部形状が方位角弁別用のもの） 、１６…二次電子偏向器III、１７…検出器I、１８…検出器II、１９…エネルギーフィルタ、２０…コンデンサレンズ、２１…絞り、２２…引出電極、２３…引出電極、２４…電子源、２５…1次ビーム、２６…二次／反射電子軌道、２７…試料、２８…１次ビーム通過孔、２９…円環開口部、３０…多層レイヤパターン、３１…反射板上における信号電子の広がり、３２…開口部通過電子、３３…長方形開口部、３４…観察試料、３５…φ＝π／２方向斜面、３６…φ＝０方向斜面、３７…信号電子中心軌道到達位置、３８…試料（縦ラインパターン）、３９…円環開口部内側電圧供給ライン、４０…円環開口部外側電圧供給ライン、４１…円環開口部形成部材内側、４２…円環開口部形成部材外側、４３…電源、４４…円環開口部一部、４５…反射板、４６…偏向器 
【図１】
2017135040.tif 000003
【図２】
2017135040.tif 000004
【図３】
2017135040.tif 000005
【図４】
2017135040.tif 000006
【図５】
2017135040.tif 000007
【図６】
2017135040.tif 000008
【図７】
2017135040.tif 000009
【図８】
2017135040.tif 000010
【図９】
2017135040.tif 000011
【図１０】
2017135040.tif 000012
【図１１】
2017135040.tif 000013
【図１２】
2017135040.tif 000014
【図１３】
2017135040.tif 000015
【図１４】
2017135040.tif 000016
【図１５】
2017135040.tif 000017
【図１６】
2017135040.tif 000018
【図１７】
2017135040.tif 000019
【図１８】
2017135040.tif 000020
【図１９】
2017135040.tif 000021
【図２０】
2017135040.tif 000022
【図２１】
2017135040.tif 000023
【図２２】
2017135040.tif 000024
【図２３】
2017135040.tif 000025
【図２４】
2017135040.tif 000026
【図２５】
2017135040.tif 000027
【図２６】
2017135040.tif 000028
【図２７】
2017135040.tif 000029
【図２８】
2017135040.tif 000030
【図２９】
2017135040.tif 000031
【図３０】
2017135040.tif 000032